【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
表示パネルの上に液晶パララックスバリアパネルが配置しており、視認者の眼の位置の動きに追随して前記液晶パララックスバリアパネルのバリア位置が移動する３次元表示装置であって、
前記表示パネルは第１のサブ画素、第２のサブ画素、第３のサブ画素が第１の方向に配列した画素を有し、前記画素は前記第１の方向に第1のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方１向にピッチBEで配列する第２のバリア電極を有し、
前記第１のバリア電極の前記第２のピッチ内における数は６以上あり、前記第２のバリア電極の前記第２のピッチ内における数は６以上あり、
前記第２のバリア電極は、平面で見て、前記第１のバリア電極と前記第１のバリア電極の間隔を埋めるように、前記第１のバリア電極と前記第１の方向にオーバーラップして形成され、
前記第１のバリア電極と前記第２のバリア電極が前記オーバーラップしている幅をBAとした場合、前記BA/前記BEは０．３以下であることを特徴とする３次元表示装置。
【請求項２】
前記BA/前記BEは０．２以下であることを特徴とする請求項１に記載の３次元表示装置。
【請求項３】
表示パネルの上に液晶パララックスバリアパネルが配置しており、視認者の眼の位置の動きに追随して前記液晶パララックスバリアパネルのバリア位置が移動する３次元表示装置であって、
前記表示パネルは第１のサブ画素、第２のサブ画素、第３のサブ画素が第１の方向に配列した画素を有し、前記画素は前記第１の方向に第１のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方向にピッチBEで配列する第２のバリア電極を有し、
前記第１のバリア電極の前記第２のピッチ内における数は６以上あり、前記第２のバリア電極の前記第２のピッチ内における数は６以上あり、
前記第２のバリア電極は、平面で見て、前記第１のバリア電極と前記第１のバリア電極の間隔内に、前記第１のバリア電極とオーバーラップしないように形成され、
前記第１のバリア電極と前記第２のバリア電極の平面で見た間隔をBBとした場合、前記BB/前記BEは０．３以下であることを特徴とする３次元表示装置。
【請求項４】
前記BB/前記BEは０．２以下であることを特徴とする請求項３に記載の３次元表示装置。
【請求項５】
液晶表示パネルの上に液晶パララックスバリアパネルが配置しており、視認者の眼の位置の動きに追随して前記液晶パララックスバリアパネルのバリア位置が移動する３次元表示装置であって、
前記液晶表示パネルは第１のサブ画素、第２のサブ画素、第３のサブ画素が第１の方向に配列した画素を有し、前記画素は前記第１の方向に第1のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方向にピッチBEで配列する第２のバリア電極を有し、
前記第２のピッチを２Pとしたとき、前記バリア内における前記第１のバリア電極の前記２P内における数をSとし、前記液晶表示パネルの液晶層の中心と前記液晶パララックスバリアパネルの液晶層の中心の距離をLgとした場合、
S≧２P/[(Lg/1.5)tan5]
の関係を有し、
前記第２のバリア電極は、平面で見て、前記第１のバリア電極と前記第１のバリア電極の間隔を埋めるように、前記第１のバリア電極と前記第１の方向にオーバーラップして形成され、
前記第１のバリア電極と前記第２のバリア電極が前記オーバーラップしている幅をBAとした場合、前記BA/前記BEは０．３以下であることを特徴とする３次元表示装置。
【請求項６】
前記バリア内における前記第１のバリア電極の前記２P内における数をSとし、前記液晶表示パネルの液晶層の中心と前記液晶パララックスバリアパネルの液晶層の中心の距離をLgとした場合、
S≧２P/[(Lg/1.5)tan3]
の関係を有することを特徴とする請求項５に記載の３次元表示装置。
【請求項７】
前記BA/前記BEは０．２以下であることを特徴とする請求項５に記載の３次元表示装置。
【請求項８】
前記BA/前記BEは０．２以下であることを特徴とする請求項６に記載の３次元表示装置。
【請求項９】
液晶表示パネルの上に液晶パララックスバリアパネルが配置しており、視認者の眼の位置の動きに追随して前記液晶パララックスバリアパネルのバリア位置が移動する３次元表示装置であって、
前記液晶表示パネルは第１のサブ画素、第２のサブ画素、第３のサブ画素が第１の方向に配列した画素を有し、前記画素は前記第１の方向に第１のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方向にピッチBEで配列する第２のバリア電極を有し、
前記第２のピッチを２Pとしたとき、前記バリア内における前記第１のバリア電極の前記２P内における数をSとし、前記液晶表示パネルの液晶層の中心と前記液晶パララックスバリアパネルの液晶層中心の距離をLgとした場合、
S≧２P/[(Lg/1.5)tan5]
の関係を有し、
前記第２のバリア電極は、平面で見て、前記第１のバリア電極と前記第１のバリア電極の間隔内に、前記第１のバリア電極とオーバーラップしないように形成され、
前記第１のバリア電極と前記第２のバリア電極の平面で見た間隔をBBとした場合、前記BB/前記BEは０．３以下であることを特徴とする３次元表示装置。
【請求項１０】
前記バリア内における前記第１のバリア電極の前記２P内における数をSとし、前記液晶表示パネルの液晶層の中心と前記液晶パララックスバリアパネルの液晶層の中心の距離をLgとした場合、
S≧２P/[(Lg/1.5)tan3]
の関係を有することを特徴とする請求項９に記載の液晶表示装置。
【請求項１１】
前記BB/前記BEは０．２以下であることを特徴とする請求項９に記載の３次元表示装置。
【請求項１２】
前記BB/前記BEは０．２以下であることを特徴とする請求項１０に記載の３次元表示装置。
【請求項１３】
表示パネルの上に液晶パララックスバリアパネルが配置しており、視認者の眼の位置の動きに追随して前記液晶パララックスバリアパネルのバリア位置が移動する３次元表示装置であって、
前記表示パネルは第１のサブ画素、第２のサブ画素、第３のサブ画素が第１の方向に配列した画素を有し、前記画素は前記第１の方向に第１のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方向にピッチBEで配列する第２のバリア電極を有し、
前記第１のバリア電極の前記第２のピッチ内における数は６以上あり、前記第２のバリア電極の前記第２のピッチ内における数は６以上あり、
前記第１のバリア電極は、平面で見て、前記第１の方向の一方では、前記第２のバリア電極と幅BAでオーバーラップし、前記第１の方向の他方では、前記第２のバリア電極との間に幅BBの隙間が存在し、
前記BA/前記BEは０．３以下であり、前記BB/前記BEは０．３以下でありることを特徴とする３次元表示装置。
【請求項１４】
液晶表示パネルの上に液晶パララックスバリアパネルが配置しており、視認者の眼の位置の動きに追随して前記液晶パララックスバリアパネルのバリア位置が移動する３次元表示装置であって、
前記液晶表示パネルは第１のサブ画素、第２のサブ画素、第３のサブ画素が第１の方向に配列した画素を有し、前記画素は前記第１の方向に第１のピッチによって配列し、
前記液晶パララックスバリアパネルは、前記第１の方向と直角方向の第２の方向に延在するバリアが前記第１の方向に前記第１の方向に第２のピッチによって配列し、
前記液晶パララックスバリアパネルの前記バリアは、前記第２の方向に延在し、前記第１の方向にピッチBEで配列する第１のバリア電極と、前記第１のバリア電極の下層に絶縁層を介して、前記第２の方向に延在し、前記第１の方向にピッチBEで配列する第２のバリア電極を有し、
前記第２のピッチを２Pとしたとき、前記バリア内における前記第１のバリア電極の前記２P内における数をSとし、前記液晶表示パネルの液晶層の中心と前記液晶パララックスバリアパネルの液晶層の中心の距離をLgとした場合、
S≧２P/[(Lg/1.5)tan5]
の関係を有し、
前記第１のバリア電極は、平面で見て、前記第１の方向の一方では、前記第２のバリア電極と幅BAでオーバーラップし、前記第１の方向の他方では、前記第２のバリア電極との間に幅BBの隙間が存在し、
前記BA/前記BEは０．３以下であり、前記BB/前記BEは０．３以下であることを特徴とする３次元表示装置。
【請求項１５】
前記BA/前記BEは０．２以下であり、前記BB/前記BEは０．２以下でありることを特徴とする請求項１３に記載の３次元表示装置。
【請求項１６】
前記BA/前記BEは０．３以下であり、前記BB/前記BEは０．３以下でありることを特徴とする請求項１４に記載の３次元表示装置。
【請求項１７】
前記第１のバリア電極の膜厚と前記第２のバリア電極の膜厚は１０％以内で一致することを特徴とする請求項１乃至１６のいずれか１項に記載の３次元表示装置。
【請求項１８】
前記第１のバリア電極の白色光に対する透過率と前記第２のバリア電極の白色光に対する透過率は５％以内で一致することを特徴とする請求項１乃至１６のいずれか１項に記載の３次元表示装置。